(57)【特許請求の範囲】
【請求項１】
水が流れる複数の流路部が形成された筒状部材が備えられ、
前記流路部が、
前記水が順流方向に流れる複数の第一順流路部と、
前記第一順流路部を流れた前記水が逆流方向に流れる単一の逆流路部と、
前記第一順流路部と並列して配置され、前記逆流路部を流れた前記水が前記順流方向に流れる複数の第二順流路部と、
から構成され、
前記逆流路部が、
前記第一順流路部に形成された流出口部と対面して備えられた下流側遮断板と、
前記第二順流路部に形成された流入口部と対面して備えられた上流側遮断板と、
前記下流側遮断板と前記上流側遮断板とで区切られた区域と、
から構成され、
前記水が流れる方向と交差する方向に並列して配置されると共に、前記第一順流路部および前記第二順流路部のそれぞれを挟んで配置された複数の永久磁石が備えられ、
前記流出口部から流出した前記水が、前記下流側遮断板に衝突して反転させられ、前記逆流路部を流れて前記上流側遮断板に衝突して反転させられ、前記流入口部から流入する、
ことを特徴とする水活性化装置。
【請求項２】
前記第一順流路部を挟んで配置された前記永久磁石の間隔、および前記第二順流路部を挟んで配置された前記永久磁石の間隔が、それぞれ０．５ｍｍから８ｍｍである、
ことを特徴とする請求項１に記載された水活性化装置。
【請求項３】
前記永久磁石が、前記水が流れる方向に６個並べられ、前記水が流れる方向と交差する方向に５列並列して配置されると共に、前記第一順流路部および前記第二順流路部のそれぞれを挟んで配置された、
ことを特徴とする請求項１または請求項２に記載された水活性化装置。
【発明の詳細な説明】
【技術分野】
【０００１】
本発明は、磁場を通すことで活性化した水を生成する水活性化装置に関するものである。
【背景技術】
【０００２】
従来、水道管などを永久磁石で挟むことで管内に磁場を生じさせ、この磁場を通して水を活性化させるものとして、例えば下記特許文献１に記載された水の活性化装置が提案されている。この装置によれば、対向させたＳ極とＮ極との間に通水管が挟まれている。Ｓ極とＮ極との間に生じた磁場を通った水は、通る前と比較して水分子に多くの電子が含まれ、なおかつクラスターが小さくなって活性化されると考えられている。
【先行技術文献】
【特許文献】
【０００３】
【特許文献１】特許第３４６９５４１号公報
【発明の概要】
【発明が解決しようとする課題】
【０００４】
上記した水の活性化は、通過させる磁場の強さを増加させることで効果が更に向上すると考えられている。したがって本発明は、多くの強い磁場に水をさらして、活性化した水を生成することができる水活性化装置の提供を目的とする。
【課題を解決するための手段】
【０００５】
上記目的を達成するために、本発明に係る水活性化装置は、水が流れる複数の流路部が形成された筒状部材が備えられ、前記流路部が、前記水が順流方向に流れる第一順流路部と、前記第一順流路部を流れた前記水が逆流方向に流れる逆流路部と、前記第一順流路部と並列して配置され、前記逆流路部を流れた前記水が前記順流方向に流れる第二順流路部と、から構成され、前記水が流れる方向と交差する方向に並列して配置されると共に、前記第一順流路部および前記第二順流路部のそれぞれを挟んで配置された複数の永久磁石が備えられたことを特徴としている。
【０００６】
本発明に係る水活性化装置は、前記逆流路部が、前記第一順流路部に形成された流出口部と対面して備えられた下流側遮断板と、前記第二順流路部に形成された流入口部と対面して備えられた上流側遮断板と、前記下流側遮断板と前記上流側遮断板とで区切られた区域とから構成されたことを特徴としている。
【０００７】
本発明に係る水活性化装置は、前記第一順流路部を挟んで配置された前記永久磁石の間隔、および前記第二順流路部を挟んで配置された前記永久磁石の間隔が０．５ｍｍから８ｍｍであることを特徴としている。
【０００８】
本発明に係る水活性化装置は、前記永久磁石が、前記水が流れる方向に６個並べられ前記水が流れる方向と交差する方向に５列並列して配置されると共に、前記第一順流路部および前記第二順流路部のそれぞれを挟んで配置されたことを特徴としている。
【発明の効果】
【０００９】
本発明に係る水活性化装置は、上記した構成である。この構成により、水は第一順流路部で磁場にさらされた後、逆流して逆流路部を流れ、第二順流路部で更に磁場にさらされる。したがって、筒状部材の内部の限られた空間で多くの磁場に水をさらして、活性化した水を生成することができる。
【００１０】
また、上記した構成により、並列して配置された永久磁石間に生じた磁場はベクトル量が加算される。したがって、水がさらされる磁場を強化させ、活性化した水を生成することができる。
【００１１】
本発明に係る水活性化装置は、逆流路部が、第一順流路部に形成された流出口部と対面して備えられた下流側遮断板と、第二順流路部に形成された流入口部と対面して備えられた上流側遮断板と、下流側遮断板と上流側遮断板とで区切られた区域と、から構成されている。この構成により、第一順流路部の流出口部から流出した水が下流側遮断板に衝突し、流路が順流方向から逆流方向に反転させられて逆流する。逆流した水は上流側遮断板に衝突し、流路が逆流方向から順流方向に反転させられて第二順流路部の流入口部から流入する。しがたって、小型化することが困難であるＵ字やＳ字の管部材などで各順流路部と逆流路部とを連結する必要がなく、各部材を容易に小型化することができる。
【００１２】
本発明に係る水活性化装置は、第一順流路部を挟んで配置された永久磁石の間隔、および第二順流路部を挟んで配置された永久磁石の間隔が、それぞれ０．５ｍｍから８ｍｍである。この構成により強い磁場が形成され、従前の方法では得られなかった多量の電子が水分子に含まれ、従前の方法よりも小さいクラスターが得られる。したがって、強い磁場に水をさらして、活性化した水を生成することができる。
【００１３】
本発明に係る水活性化装置は、永久磁石が、水が流れる方向に６個並べられ、水が流れる方向と交差する方向に５列並列して配置されると共に、第一順流路部および第二順流路部のそれぞれを挟んで配置されている。したがって、多くの強い磁場に水をさらして、活性化した水を生成することができる。
【図面の簡単な説明】
【００１４】
【図１】本発明の実施形態に係る水活性化装置の縦断面図である。
【図２】本発明の実施形態に係る水活性化装置のＡ−Ａ横断面図である。
【図３】本発明の実施形態に係る水活性化装置のＢ−Ｂ横断面図である。
【図４】本発明の実施形態に係る水活性化装置のＣ−Ｃ横断面図である。
【図５】本発明の実施形態に係る水活性化装置のＤ−Ｄ横断面図である。
【図６】比較例と比較した本発明の実施例の効果を説明する横断面説明図であり、（ａ）および（ｂ）が比較例、（ｃ）が本発明の実施例である。
【図７】比較例と比較した本発明の実施例の効果を説明する縦断面説明図であり、（ａ）および（ｂ）が比較例、（ｃ）が本発明の実施例である。
【発明を実施するための形態】
【００１５】
以下に、本発明の実施形態を図面に基づいて説明する。図１は本発明の実施形態に係る水活性化装置としての電子水装置１０の縦断面が示され、また図２、図３、図４および図５は本発明の実施形態に係る電子水装置１０の横断面図が示されている。
【００１６】
図１において、本実施形態に係る電子水装置１０は、筒状に形成されて水（図示省略）が通り抜ける筒状部材２０、この筒状部材２０の内側に形成された複数の流路部、水が流れる方向と交差する方向に並列して配置されると共に、それぞれの流路部を挟んで配置された複数の永久磁石５０、から構成されている。流路部は、第一順流路部３１、第二順流路部３４、および逆流路部４０、から構成されている（図３および図４参照）。
【００１７】
筒状部材２０はほぼ円筒状であり、水流の上流側である上流口部２１が一端側に形成され、水流の下流側である下流口部２２が他端側に形成されている。筒状部材２０の内側は、筒状部材２０の内径に合わせて形成された２枚の遮断板が取り付けられている。遮断板は上流口部２１の近傍に取り付けられた上流側遮断板２３と、下流口部２２の近傍に取り付けられた下流側遮断板２４である。この各遮断板２３，２４によって内側が区切られ、筒状部材２０は水が流れる方向に３つの区域が形成されている。３つの区域は、上流口部２１側が上流区域２５、下流口部２２側が下流区域２６、上流区域２５と下流区域２６との間が流通区域２７である。
【００１８】
流通区域２７は隔離板２８によって区切られ（図３および図４参照）、水が流れる方向と交差する方向に並列する２つの流路部が形成されている。２つの流路部は順流路部３０、および逆流路部４０である。順流路部３０は、水が上流口部２１側から下流口部２２側に流れる方向である順流方向４に形成され、一方、逆流路部４０は、水が下流口部２１側から上流口部２２側に逆流する方向である逆流方向５に形成されている。
【００１９】
順流路部３０は、水が流れる方向と交差する方向に並列した４本の角型水路が取り付けられている。角型水路は、例えば断面が四角形に形成された直線状のパイプである。角型水路のうち、２本が第一順流路部３１であり、２本が第二順流路部３４である。各順流路部３１，３４は、水が流入する流入口部と水が流出する流出口部が先端に形成されている。なお、各順流路部３１，３４の数は任意である。
【００２０】
第一順流路部３１は、第一流入口部３２が上流側遮断板２３を貫通して上流区域２５で開口され、第一流出口部３３が流通区域２７で下流側遮断板２４と対面している。第一流出口部３３は、下流側遮断板２４の近傍に取り付けられた下流側保持板３８に支持されている。第一順流路部３１によって上流区域２５から流通区域２７への水の流路が形成されている。
【００２１】
第二順流路部３４は、第二流入口部３５が流通区域２７で上流側遮断板２３と対面し、第二流出口部３６が下流側遮断板２４を貫通して下流区域２６で開口されている。第二流入口部３５は、上流側遮断板２３の近傍に取り付けられた上流側保持板３７に支持されている。第二順流路部３４によって流通区域２７から下流区域２６への水の流路が形成されている。
【００２２】
上流側保持板３７および下流側保持板３８は、ほぼ半円形に形成され、隔離板２８の両端に取り付けられている（図３および図４参照）。
【００２３】
逆流路部４０は、第一順流路部３１の第一流出口部３３と対面して配置された下流側遮断板２４、第二順流路部３４の第二流入口部３５と対面して配置された上流側遮断板２３、および下流側遮断板２４と上流側遮断板２３とで区切られた流通区域２７とから形成されている。逆流路部４０は、第一順流路部３１の第一流出口部３３と第二順流路部３４の第二流入口部３５とが開口されている（図３および図４参照）。なお、逆流路部が各順流路部３１，３４と同様に、永久磁石５０に挟まれた角型水路によって構成されていてもよい。
【００２４】
永久磁石５０は、例えばネオジウムであり、水が流れる方向と交差する方向に並列して配置されると共に、各順流路部３１，３４を挟んで配置されている。すなわち、各順流路部３１，３４は一つの面（上面）に、水が流れる方向に沿って６個の永久磁石５０が一列に並べられて取り付けられ、この各永久磁石５０の対となる６個の永久磁石５０が、反対側の面（下面）に一列に並べられて取り付けられている。各順流路部３１，３４を挟んだ一対の永久磁石５０の間隔は約０．５ｍｍから約８ｍｍである。本実施形態では各順流路部３１，３４が４本から構成されているため、５列の永久磁石５０が取り付けられている。並列した各順流路部３１，３４間のうち、端に配置された各順流路部３１，３４に取り付けられた１列目の永久磁石５０および５列目の永久磁石５０は、各順流路部３１，３４と接触していない側に、ヨークとしての鉄板５１が取り付けられている。なお、対としての永久磁石５０の数、永久磁石５０の列の数などは任意であり、各順流路部３１，３４の長さや間隔などに応じて変更される。
【００２５】
以上のとおり電子水装置１０が形成されている。
【００２６】
次に、本実施形態に係る作用を説明する。
【００２７】
電子水装置１０は水道管（図示せず）などに直列に取り付けられ、筒状部材２０の内側を水が通り抜ける。筒状部材２０では、水が上流区域２５に流入し、流通区域２７で活性化され、下流区域２６から流出する。
【００２８】
上流区域２５では、上流口部２１から流入した水が第一流入口部３２に流入して第一順流路部３１を流れる（第一順流経路１）。
【００２９】
流通区域２７では、第一順流路部３１を流れる水が、永久磁石５０によって順流方向４と交差する方向に生じた磁場にさらされ、第一流出口部３３から流出する。第一流出口部３３から流出した水は下流側遮断板２４に衝突し、流路が順流方向４から逆流方向５に反転させられて逆流する（逆流経路３）。逆流した水は逆流路部４０を流れて上流側遮断板２３に衝突し、流路が逆流方向５から順流方向４に反転させられて第二流入口部３５から流入して第二順流路部３４を流れる（第二順流経路２）。第二順流路部３４を流れる水は、永久磁石５０によって順流方向４と交差する方向に生じた磁場にさらされ、第二流出口部３６から流出する。
【００３０】
下流区域２６では、第二流出口部３６から流出した水が下流口部２２から流出する。
【００３１】
次に、本実施形態の効果を説明する。
【００３２】
上記したとおり、本実施形態によれば、電子水装置１０は流通区域２７が隔離板２８によって区切られ（図３および図４参照）、順流路部３０と逆流路部４０が、水が流れる方向と交差する方向に並列して形成されている。順流路部３０は、水が流れる方向と交差する方向に並列した４本の角型水路が取り付けられ、角型水路のうち、２本が第一順流路部３１であり、２本が第二順流路部３４である。各順流路部３１，３４は一つの面（上面）に、水が流れる方向に沿って６個の永久磁石５０が一列に並べられて取り付けられ、この各永久磁石５０の対となる６個の永久磁石５０が、反対側の面（下面）に一列に並べられて取り付けられている。
【００３３】
この構成により、第一順流路部３１を流れる水が、永久磁石５０によって順流方向４と交差する方向に生じた磁場にさらされた後、逆流して逆流路部４０を流れ、第二順流路部３４を流れて、永久磁石５０によって順流方向４と交差する方向に生じた磁場にさらされる。すなわち、水が筒状部材２０の中を順流方向４に流れる回数が二回となる。したがって、筒状部材２０の内部の限られた空間で多くの磁場に水をさらして、活性化した水を生成することができる。
【００３４】
また、上記した構成により、一列の永久磁石５０が（例えば２列目、３列目、および４列目の永久磁石が）、並列するそれぞれの各順流路部３１，３４の磁極を担っているため、永久磁石５０の数が少なくて済む。
【００３５】
本実施形態によれば、各順流路部３１，３４が４本から構成されているため、５列の永久磁石５０が取り付けられている。この構成により、水が流れる方向と交差する方向に並列して配置された永久磁石５０間に生じた磁場はベクトル量が加算される。したがって、水がさらされる磁場を強化させ、活性化した水を生成することができる。また、永久磁石５０を並列させることで、同じ数の永久磁石５０を直列に並べた場合と比較して、磁場を強化することができる。
【００３６】
本実施形態によれば、逆流路部４０は、第一順流路部３１の第一流出口部３３と対面して配置された下流側遮断板２４、第二順流路部３４の第二流入口部３５と対面して配置された上流側遮断板２３、および下流側遮断板２４と上流側遮断板２３とで区切られた流通区域２７とから形成されている。この構成により、第一流出口部３３から流出した水は下流側遮断板２４に衝突し、流路が順流方向４から逆流方向５に反転させられて逆流する（逆流経路３）。逆流した水は逆流路部４０を流れて上流側遮断板２３に衝突し、流路が逆流方向５から順流方向４に反転させられて第二流入口部３５から流入して第二順流路部３４を流れる（第二順流経路２）。しがたって、小型化することが困難であるＵ字やＳ字の管部材などで各順流路部３１，３４と逆流路部４０とを連結する必要がなく、各部材を容易に小型化することができる。
【００３７】
本実施形態によれば、第一順流路部３１を挟んで配置された永久磁石５０の間隔、および第二順流路部３４を挟んで配置された一対の永久磁石５０の間隔が約０．５ｍｍから約８ｍｍである。この構成により、強い磁場が形成される。したがって、強い磁場に水をさらして、活性化した水を生成することができる。
【００３８】
本実施形態によれば、水が流れる方向に沿って６個の永久磁石５０が一列に並べられて取り付けられ、この永久磁石５０の列が５列取り付けられている。したがって、多くの強い磁場に水をさらして、活性化した水を生成することができる。
【実施例】
【００３９】
次に、本発明の実施例を図面に基づいて説明する。図６および図７は、比較例と比較した実施例の効果が示されている。
【００４０】
＜実施例＞
図６（ｃ）および図７（ｃ）において、永久磁石５０は、水が流れる方向に一列に並べられた数が６個、水が流れる方向と交差する方向に並列した列が５列（すなわち、各順流路部３１，３４を挟む永久磁石５０の組数がそれぞれ６組であるため全体として１２組）、各順流路部３１，３４を挟んだ間隔が約５ｍｍである。永久磁石５０間に生じた磁場は磁界の強さが、Ｈ＝Ｋ／５2（Ｋは定数）である。電子を作る能力（永久磁石５０の１組当たりの磁界の強さの比×永久磁石５０の組数）は、４９×１２＝５８８である。
【００４１】
＜比較例１＞
図６（ａ）および図７（ａ）において、永久磁石は、水が流れる方向に一列に並べられた数が４個、水が流れる方向と交差する方向に並列した列が２列（すなわち４組）、各順流路部を挟んだ間隔が約３５ｍｍである。永久磁石間の生じた磁場は磁界の強さが、Ｈ１＝Ｋ／３５2（Ｋは定数）である。電子を作る能力は、１×４＝４である。
【００４２】
＜比較例２＞
図６（ｂ）および図７（ｂ）において、永久磁石は、水が流れる方向に一列に並べられた数が７個、水が流れる方向と交差する方向に並列した列が２列（すなわち７組）、各順流路部を挟んだ間隔が約２７．５ｍｍである。永久磁石間の生じた磁場は磁界の強さが、Ｈ２＝Ｋ／２７．５2（Ｋは定数）である。電子を作る能力は、１．６×７＝１１．２である。
【００４３】
比較例１を基準として、比較例１、比較例２および実施例を対比すれば、表１のとおりとなる。
【００４４】
【表１】
0005939215.tif 000002
【００４５】
詳説すれば、磁場の間を通過する水に発生する電子の量は、ファラデーの発電原理に則り磁界の強さに比例する。磁界の強さは永久磁石間の距離の２乗に反比例するため、永久磁石間の距離が縮まれば磁界の強さが増す。また、永久磁石の数が多ければ、水が磁場を通過する回数が増えるため、水に含まれる電子の量が増加する。電子水装置１０の内部を水が往復して磁場を通過することにより、限られた長さの中で水が通過する磁場の強さが増加するため、水に発生する電子の量が増加する。さらに、５列の永久磁石をそれぞれ５ｍｍ以下の間隔を空けて配置することで、各磁場はベクトル量が加算され、比較例では実現できない強さの磁場を生じさせることができる。
【００４６】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４７】
１                  第一順流経路
２                  第二順流経路
３                  逆流経路
４                  順流方向
５                  逆流方向
１０                電子水装置（水活性化装置）
２０                筒状部材
２１                上流口部
２２                下流口部
２３                上流側遮断板
２４                下流側遮断板
２５                上流区域
２６                下流区域
２７                流通区域
２８                隔離板
３０                順流路部
３１                第一順流路部
３２                第一流入口部
３３                第一流出口部
３４                第二順流路部
３５                第二流入口部
３６                第二流出口部
３７                上流側保持板
３８                下流側保持板
４０                逆流路部
５０                永久磁石
５１                鉄板
【図１】
0005939215.tif 000003
【図２】
0005939215.tif 000004
【図３】
0005939215.tif 000005
【図４】
0005939215.tif 000006
【図５】
0005939215.tif 000007
【図６】
0005939215.tif 000008
【図７】
0005939215.tif 000009